【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
ディジタル式イメージング・システムにおいて置換ピクセル値を生成するための方法であって、所望のピクセル（９２）の基本値を生成するステップ（１０４）と、前記所望ピクセルの統計的特性値を生成するステップ（１０６）と、前記基本値と前記統計的特性値を合成（１０８）し置換ピクセル値を取得するステップと、を含む方法。
【請求項２】
前記基本値が、画像マトリックス（６６）の横列（５６）内で前記所望ピクセル（９２）の近傍にあるピクセル（９４）の値に基づいて生成されている、請求項１に記載の方法。
【請求項３】
前記基本値が、画像マトリックス（６０）の縦列（５８）内で前記所望ピクセル（９２）の近傍にあるピクセル（９４）の値に基づいて生成されている、請求項１に記載の方法。
【請求項４】
前記基本値が、画像マトリックス（６０）の周囲の横列（５６）及び縦列（５８）内で前記所望ピクセルの近傍にあるピクセル（９４）の値に基づいて生成されている、請求項１に記載の方法。
【請求項５】
前記統計的特性値が、画像マトリックス（６０）内で前記所望ピクセル（９２）と近傍にあるピクセル（９４）との間で一貫した統計的特性を維持するように生成されている、請求項１に記載の方法。
【請求項６】
前記統計的特性が平均値及び標準偏差値を含む、請求項５に記載の方法。
【請求項７】
前記統計的特性値が、ゼロの平均値と、画像マトリックス（６０）内の選択した一群のピクセルの標準偏差に等しい標準偏差とを維持するように生成されている（１０６）、請求項６に記載の方法。
【請求項８】
前記統計的特性値は、画像マトリックス（６０）内の選択した一群のピクセルと比較して、置換ピクセル値が一貫したノイズ・レベルを維持するように選択されている、請求項１に記載の方法。
【請求項９】
ディジタル検出器において欠陥ピクセルの置換値を生成するための方法であって、欠陥があると判定された少なくとも１つのピクセル（９２）を含む検出器（２２）のピクセル（５４）の横列（５６）及び縦列（５８）に対する画像データ組を収集するステップ（１０２）と、前記画像データ組内で近傍にあるピクセル（９４）の値に基づいて欠陥ピクセル（９２）の基本値を計算するステップ（１０４）と、前記画像データ組の統計データを計算するステップ（１０６）と、前記基本値及び前記統計データに基づいて欠陥ピクセル（９２）の置換値を計算するステップ（１０８）と、を含む方法。
【請求項１０】
欠陥ピクセル（９２）の置換値を含む画像データ組を処理するステップを含む請求項９に記載の方法。
【請求項１１】
前記基本値が欠陥ピクセル（９２）の近傍にあるピクセル（９４）の平均値である、請求項９に記載の方法。
【請求項１２】
前記基本値が横列（５６）内で欠陥ピクセル（９２）の近傍にあるピクセル（９４）の平均値である、請求項１１に記載の方法。
【請求項１３】
前記基本値が縦列（５８）内で欠陥ピクセル（９２）の近傍にあるピクセル（９４）の平均値である、請求項１１に記載の方法。
【請求項１４】
前記基本値が少なくとも１つの横列（５６）及び少なくとも１つの縦列（５８）内で欠陥ピクセル（９２）の近傍にあるピクセル（９４）の平均値である、請求項１１に記載の方法。
【請求項１５】
前記統計データが欠陥ピクセル（９２）の周りにあるピクセル（９４）からなる少なくとも近隣域の標準偏差データである、請求項９に記載の方法。
【請求項１６】
前記置換値が、欠陥ピクセル（９２）の近隣域で一貫したノイズ・レベルを維持するように計算されている、請求項９に記載の方法。
【請求項１７】
前記置換値が、ゼロの統計平均値と、欠陥ピクセル（９２）の近傍にあるピクセル（９４）の標準偏差値に等しい標準偏差とを有する基本値からの偏差を提供するように計算されている、請求項９に記載の方法。
【請求項１８】
ディジタル検出器内の欠陥ピクセルに対する置換値を生成するための方法であって、欠陥があると判定された少なくとも１つのピクセル（９２）を含む検出器のピクセル（５４）の横列（５６）及び縦列（５８）に対する画像データ組にアクセスするステップ（１０２）と、前記画像データ組内で近傍にあるピクセル（９４）の平均値であるような欠陥ピクセル（９２）の基本値を計算するステップ（１０４）と、選択した欠陥ピクセルの特性値を、ゼロの平均値と画像データ組内の所望のピクセルの組に対する標準偏差値と等しい標準偏差とを有する基本値から所望の偏差を提供するように計算するステップ（１０６）と、前記基本値及び前記特性値に基づいて欠陥ピクセル（９２）に対する置換値を計算するステップ（１０８）と、を含む方法。
【請求項１９】
前記近傍にあるピクセル（９４）が横列（５６）内で欠陥ピクセル（９２）に隣接するピクセルを含む、請求項１８に記載の方法。
【請求項２０】
前記近傍にあるピクセル（９４）が縦列（５８）内で欠陥ピクセル（９２）に隣接するピクセルを含む、請求項１８に記載の方法。
【請求項２１】
前記近傍にあるピクセル（９４）が少なくとも１つの横列（５６）及び少なくとも１つの縦列（５８）内で欠陥ピクセル（９２）に隣接するピクセルを含む、請求項１８に記載の方法。
【請求項２２】
前記所望のピクセル組が横列（５６）内で欠陥ピクセル（９２）に隣接するピクセル（９４）を含む、請求項１８に記載の方法。
【請求項２３】
前記所望のピクセル組が縦列（５８）内で欠陥ピクセル（９２）に隣接するピクセル（９４）を含む、請求項１８に記載の方法。
【請求項２４】
前記所望のピクセル組が少なくとも１つの横列（５６）及び少なくとも１つの縦列（５８）内で欠陥ピクセル（９２）を取り囲んでいるピクセル（９４）を含む、請求項１８に記載の方法。
【請求項２５】
欠陥があると指摘されたピクセル（９２）を含んでいるような、ピクセル（５４）の横列（５６）及び縦列（５８）からなる画像マトリックス（６０）を有する検出器（２２）と、前記検出器（２２）と結合されると共に前記検出器からのピクセル値をサンプリングし、基本値（１０４）及び統計的特性値（１０６）を計算することにより欠陥ピクセルに対する置換値を計算する（１０２〜１０８）ように構成されている信号処理回路（２６、２８）であって、前記統計的特性値は前記置換値と欠陥ピクセル（９２）の少なくとも近隣域内のピクセル（９４）の値との間に一貫した統計的関係を提供しているような信号処理回路（２６、２８）と、を備えるディジタル式イメージング・システム。
【請求項２６】
Ｘ線源（１２）を備えると共に、前記検出器が該Ｘ線源からのＸ線ビーム（１６）に対する曝露により得られるピクセル値をサンプリングしている、請求項２５に記載のシステム。
【請求項２７】
Ｘ線源（１２）と、前記線源からのＸ線ビーム（１６）に対する曝露に応答してピクセル値を生成させるための検出器（２２）であって、欠陥があると指摘されたピクセル（９２）を含んでいるような、ピクセル（５４）の横列（５６）及び縦列（５８）からなる画像マトリックス（６０）を有する検出器（２２）と、前記検出器と結合されると共に前記検出器（２２）からのピクセル値をサンプリングし、基本値及び統計的特性値を計算すること（１０４、１０６）により欠陥ピクセルに対する置換値を計算する（１０４〜１０８）ように構成されている信号処理回路（２６、２８）であって、前記統計的特性値は前記置換値と欠陥ピクセル（９２）の少なくとも近隣域内のピクセル（９４）の値との間に一貫した統計的関係を提供しているような信号処理回路（２６、２８）と、を備えるディジタルＸ線システム。
【請求項２８】
前記基本値が欠陥ピクセル（９２）の近隣域内のピクセル（９４）の平均値として計算されている、請求項２５又は２７に記載のシステム。
【請求項２９】
前記統計的特性値が前記置換値と欠陥ピクセル（９２）の少なくとも近隣域内のピクセル（９４）の値との間で一貫したノイズ・レベルを維持している、請求項２５又は２７に記載のシステム。
【請求項３０】
前記統計的関係が標準偏差の値を含む、請求項２５又は２７に記載のシステム。